(57)【特許請求の範囲】
【請求項１】
魚釣りに用いる釣竿であって、
リールを脱着自在に装着可能な略筒状のリールシートを外周面に有する元竿と、
前記元竿の竿元側端部に連結され固定された前記元竿より大径の筒状の本体部を有する補助体と、
前記補助体の竿元側端部にはめ込まれた尻栓とを備え、
前記リールシートは前記リールの脚部を載置する載置面を有し、前記載置面は前記筒状のリールシートの周面から径内方向に窪んで軸方向に水平に形成され、
前記元竿の竿元側端部は、嵌合雄部として前記本体部の穂先側に挿入されている
ことを特徴とする釣竿。
【請求項２】
前記本体部は、ガラス繊維に合成樹脂を含浸させたガラス繊維強化樹脂からなる、請求項１に記載の釣竿。
【請求項３】
前記本体部は、ガラス繊維及び炭素繊維に合成樹脂を含浸させたガラス繊維強化樹脂からなる、請求項１に記載の釣竿。
【発明の詳細な説明】
【０００１】
【発明の属する技術分野】
本発明は、魚釣りに用いる釣竿に関する。
【０００２】
【従来の技術】
従来の釣竿は、元竿と、元竿の穂先側に振り出し形式または並継ぎ形式で連結された複数の中竿と、中竿の穂先側に連結された穂先竿とを有している。この元竿は、竿元側端部に設けられたリアグリップと、リアグリップの穂先側に設けられリールを取り付け可能なリールシートとを有している。
【０００３】
この従来の釣竿では、リールシートにリールを取り付け、リアグリップを把持しつつリール操作を行いキャスティング，リトリーブ等を行う。
【０００４】
【発明が解決しようとする課題】
キャスティング後のリトリーブ時や釣糸の巻き上げ時において、穂先側の竿のぶれを抑えるために、元竿の竿元側端部を身体の一部（例えば、腹部）に当ててリール操作を行うことがある。
しかし、従来の釣竿の中にはリールシートから元竿の竿元側端部までの距離が短く、元竿の竿元側端部を身体の一部に当てながらリール操作を行うのは難しい場合がある。特にルアー釣り用のルアーロッドでは、キャスティング性や運搬性等を考慮してリールシートが元竿の竿元側近くに設けられているものが多い。
【０００５】
そこで、元竿の竿元側に棒状の別体を刺し込んで、必要に応じて元竿の竿元側端部を伸縮させることが考えられる。しかし、このような別体を元竿の竿元側に装着するのでは、別体の安定性に不安がある。
また、リールシートが元竿の竿元側近くに設けられている釣竿では、リールシートを中心とする釣竿の軸方向バランスにおいてリールシートより竿元側が軽くなってしまい、適度な軸方向バランスが採りにくい。
【０００６】
本発明の課題は、釣竿の竿元側端部を身体に当てることができ、リトリーブ等の操作が容易な釣竿を提供することにある。また、釣竿の軸方向バランスに優れる釣竿を提供することにある。
【０００７】
【課題を解決するための手段】
発明１に係る釣竿は、魚釣りに用いる釣竿であって、リールを脱着自在に装着可能な略筒状のリールシートを外周面に有する元竿と、元竿の竿元側端部に連結され固定された前記元竿より大径の筒状の本体部を有する補助体と、補助体の竿元側端部にはめ込まれた尻栓とを備えている。そして、リールシートはリールの脚部を載置する載置面を有し、載置面は前記筒状のリールシートの周面から径内方向に窪んで軸方向に水平に形成され、
前記元竿の竿元側端部は、嵌合雄部として前記本体部の穂先側に挿入されている、前記元竿の竿元側端部は、嵌合雄部として前記本体部の穂先側に挿入されていることを特徴とする。
【０００８】
キャスティング等を行い釣竿の竿元側端部を身体の一部に押しつけて安定した状態で釣り操作を行う場合には、補助体の竿元側端部の尻栓を身体の一部、例えば、腹部等に押し当てて釣り操作を行う。補助体により釣竿の竿元側端部とリールシートとの距離が伸びて、竿元側端部の尻栓を身体の一部に当てながら穂先側のぶれを抑えつつ容易にリール操作を行うことが可能になる。この補助体は元竿に固定されているのでその安定性にも優れている。
【０００９】
また、元竿の竿元側に位置する補助体がリールシートより竿元側に加重しており、特に、リールシートが元竿の竿元側近くに設けられている釣竿では、リールシートを中心とする釣竿の軸方向バランスを適度なものとすることができる。
さらに、元竿のリールシートは、リールの脚部を固定する載置面が略筒状のリールシート周面より窪んで（径内方向に近づいて）形成されかつ軸方向に水平に形成されており、ここに取り付けるリールがより釣竿全体の軸方向中心線に近接してリールシートに取り付けられることになる。よって、釣竿全体の径方向バランスの偏りを効果的に押されることができ、竿元側の尻栓を身体の一部に当てながらリール操作をより安定した状態で行うことが可能になる。
【００１０】
なお、適度な撓りが要求され大径化するのに適さない元竿より穂先側に位置する竿体に比べて、撓り程度を考慮する必要に乏しい補助体は元竿より大径化することが容易である。よって、元竿より大径であり強度及び加重に優れた補助体を元竿の竿元側に連結し得るのである。
発明２に係る釣竿は、発明１の釣竿であって、補助体は筒状の本体部を有し、この本体部はガラス繊維に合成樹脂を含浸させたガラス繊維強化樹脂からなる。
【００１１】
この場合には、補助体の本体部が比較的比重の大きいガラス繊維を含むガラス繊維強化樹脂から構成されており、釣竿の軸方向バランスにおいてリールシートの竿元側への加重を容易なものとする。
発明３に係る釣竿は、発明１の釣竿であって、補助体は筒状の本体部を有し、この本体部はガラス繊維及び炭素繊維に合成樹脂を含浸させたガラス繊維強化樹脂からなる。
【００１２】
この場合も、本体部が比較的比重の大きいガラス繊維を含んでおり、釣竿の軸方向バランスにおいてリールシートの竿元側への加重を容易なものとする。
【００１３】
【発明の実施の形態】
以下、本発明の一実施形態について図面を参照しつつ説明する。
本発明の一実施形態を採用した釣竿は、図１に示すように、元竿１と、元竿１の穂先側に連結される穂先竿２とを有している。また、元竿１の竿元側には補助体１０が連結されている。
【００１４】
元竿１及び穂先竿２は、それぞれ炭素繊維等の強化繊維を引き揃えた上に合成樹脂を含浸させたプリプレグをマンドレルに巻回して焼成して得られた先細り筒状部材である。元竿１の穂先側端部は嵌合雌部となっており、穂先竿２の竿元側端部である嵌合雄部が挿入され、いわゆる振出形式で脱着自在に連結可能となっている。
【００１５】
元竿１は、竿元側端外周面に装着された竿元グリップ３と、竿元グリップ３の穂先側の外周面に装着された前グリップ４と、竿元グリップ３と前グリップ４との間に設けられリール（図示せず）を脱着自在に装着可能なリールシート５とを有している。竿元グリップ３はEVAやポリウレタン等の合成樹脂から構成される筒状部材であり、元竿１の外周面に接着剤等によって固定されている。一方、リールシート５は略筒状の部材であり竿元側端部に固定フード５ｂを有し、穂先側端部に移動フード５ａを有している。この固定フード５ｂと移動フード５ａの間はリールの脚部を載置する載置部５ｃとなっており、載置部５ｃは略筒状のリールシート５の周面より径内方向に窪んで（径内方向に近づいて）、軸方向に水平な平面となっている。
【００１６】
この移動フード５ａは前グリップ４と共に軸方向に移動自在である。そして、リールシート５の載置部５ｃ上にリールの脚部を載置し、固定フード５ｂに脚部の一端を係止した上で、移動フード５ａと前グリップ４とを軸方向に移動させつつ移動フード５ａによってリールの脚部の他端を係止して、リールをリールシート５に装着する。
【００１７】
穂先竿２は軸方向に間隔を隔てて周面上に配置される複数の釣糸ガイド６を有している。釣り糸ガイド６はセラミック等の硬質部材からなる硬質リングを有し、この硬質リングにリールからの釣糸が順次挿通して穂先側に導かれる。
図２に詳しく示すように、補助体１０は、筒状の本体部１１と、本体部１１の竿元側端部外周面に配置される補助グリップ１２と、本体部１１の竿元側端面に脱着自在に装着される尻栓１３とを有している。
【００１８】
本体部１１は、ガラス繊維を引き揃えた上に合成樹脂を含浸させたガラス繊維プリプレグからなる筒状部材である。その径は元竿１の竿元側端部より大径であり、元竿１の竿元側端部が嵌合雄部となって、本体部１１の穂先側内に挿入され連結され接着剤等によって固定されている。なお、本体部１１と元竿１の連結部分の外周には竿元グリップ３の一部が配置され、外観上連結部分は目に触れないように工夫されている。さらに、この連結部分の竿元グリップ３の竿元側端部には金属製の固定リング１４も配置される。
【００１９】
補助グリップ１２は、天然ゴム，スチレンゴムやブタジエンゴム等合成ゴム，ＥＶＡ樹脂またはコルク等の木材からなるの円筒型部材であって、本体部１１の竿元側にはめ込まれて接着材等で固定されている。この補助グリップ１２の穂先側端部においても金属製の固定リング１４が配置される。
尻栓１３は、天然ゴム，スチレンゴムやブタジエンゴム等合成ゴム，ＥＶＡ樹脂からなる栓部材であり、穂先側の一部が本体部１１の竿元側端部からその内部に挿入され、竿元側部分は拡径して本体部１１及び補助グリップ１２の竿元側端面全体を覆うようになっている。なお、必要に応じて、尻栓１３の竿元側端面をより拡径させてもよい。
【００２０】
このように構成された釣竿では、キャスティング後において釣竿を安定させた状態で釣り操作を行う場合には、補助体１０の竿元側端部に位置する尻栓１３部分を身体の一部に押しつけながらリトリーブ等のリール操作を行う。この補助体１０により釣竿全体の竿元側端部位置とリールシートとの距離が伸びて、尻栓１３身体の一部に当てながら穂先側のぶれを抑えつつ容易にリール操作を行うことが可能になる。そして、この補助体１０の本体部１１は元竿１に直接固定されているのでその安定性にも優れている。
【００２１】
さらに、元竿１のリールシート５は、リールの脚部を固定する載置面５ｃが略筒状のリールシート５周面より径内方向に近接するように窪んで形成されかつ軸方向に水平な平面として形成されており、取り付けるリールがより釣竿全体の軸方向中心線に近接してリールシート５に取り付けられることになる。よって、釣竿全体の径方向バランスの偏りを効果的に押されることができ、竿元側の尻栓１３を身体の一部に当てながらリール操作をより安定した状態で行うことが可能になる。
【００２２】
また、元竿１と別部材として連結されリールシート５より竿元側に位置し、仕掛けに魚がかかった場合の撓り程度を考慮する必要に乏しい補助体１０はその本体部１１を大径化しても大きな問題ない。よって、元竿１より大径でありかつ比重の大きいガラス繊維を用いて本体部１１を構成して比較的重い補助体１０を元竿１の竿元側に連結し得る。この結果、強度を向上させ、また、リールシート５より竿元側に加重することで、リールシート５を中心とする釣竿の軸方向バランスを適度なものとすることができる。
【００２３】
［他の実施形態］
（ａ）本発明はルアー用の釣竿に限定されるものではなく、投竿や船竿等にも適応できる。
（ｂ）補助体１０の本体部１１はガラス繊維強化樹脂のみではなく、炭素繊維やその他の強化繊維を混合したものを用いてもよい。また、炭素繊維からのみなる繊維強化樹脂を用いて補助体１０の本体部１１を構成してもよい。この場合であっても、補助体１０を大径化することで十分に強度を向上させまた竿元側に加重することも可能である。
【００２４】
【発明の効果】
本発明に係る釣竿では、釣竿の竿元側端部を身体に当てることができ、リトリーブ等の操作が容易となる。また、釣竿の軸方向バランスに優れる。
【図面の簡単な説明】
【図１】本発明の一実施形態を採用した釣竿の全体図。
【図２】図１の竿元側付近の拡大断面図。
【符号の説明】
１ 元竿
３ 竿元グリップ
５ リールシート
１０ 補助体
１１ 本体部
１２ 補助グリップ
１３ 尻栓
【図１】
0004354095.tif 000002
【図２】
0004354095.tif 000003